(57)【要約】      （修正有）【課題】放射線を検出する素子からの信号に対するクロストークによる影響を低減する。【解決手段】放射線撮像装置２００は、第１検出素子１２１と第２検出素子３０１と、第１信号線１２５及び第２信号線３０５に現れる信号を読み出す読出部１４０と、第１及び第２信号線の電位をリセットするリセット部と、読み出された信号を処理する信号処理回路２２４とを有する。放射線に対する第１変換素子１２２と第２変換素子３０２の感度は異なる。読出部１４０が信号を読み出す期間は、信号線をリセット後に第１スイッチ１２３及び第２スイッチ３０３が導通しない状態で信号が読み出される第１期間と、リセット後に第１及び第２スイッチが導通した後に信号線に現れる信号がそれぞれ読み出される動作とを含む第２期間とを含む。信号処理回路は、第１および第２期間に第２信号線から読み出された信号に基づいて第２期間に第１信号線から読み出された信号を補正する。【選択図】図１
2019164125.tif 000002
【特許請求の範囲】
【請求項１】
放射線を電気信号に変換する第１変換素子と前記第１変換素子の出力を第１信号線に接続する第１スイッチとを含む少なくとも1つの第１検出素子と、
放射線を電気信号に変換する第２変換素子と前記第２変換素子の出力を第２信号線に接続する第２スイッチとを含む少なくとも１つの第２検出素子と、
前記第１信号線及び前記第２信号線に現れる信号を読み出す読出部と、
前記第１信号線及び前記第２信号線の電位をリセットするリセット部と、
前記読出部により読み出された信号を処理する信号処理回路と、を有する撮像装置であって、
放射線に対する前記第１変換素子の感度と放射線に対する前記第２変換素子の感度とは異なるように設定され、
前記読出部が、前記第１信号線および前記第２信号線から信号を読み出す期間は、
前記リセット部によって前記第１信号線及び前記第２信号線の電圧がリセットされる動作と、その後に前記第１スイッチ及び前記第２スイッチが導通しない状態で前記第１信号線及び前記第２信号線に現れる信号がそれぞれ読み出される動作と、を含む第１期間と、
前記リセット部によって前記第１信号線及び前記第２信号線の電圧がリセットされる動作と、その後に前記第１スイッチ及び前記第２スイッチが導通した後に前記第１信号線及び前記第２信号線に現れる信号がそれぞれ読み出される動作と、を含む第２期間と、を含み、
前記信号処理回路は、前記第１期間および前記第２期間に前記第２信号線から読み出された信号に基づいて前記第２期間に前記第１信号線から読み出された信号を補正することを特徴とする放射線撮像装置。
【請求項２】
前記信号処理回路は、前記第１期間および前記第２期間に読み出された前記第２信号線に現れた信号の大きさの比を演算し、前記第１期間に前記第１信号線に現れた信号と前記大きさの比に基づいて前記第２期間に前記第１信号線に現れた信号を補正することを特徴とする請求項１に記載の放射線撮像装置。
【請求項３】
前記信号処理回路は、前記第１期間および前記第２期間に読み出された前記第１信号線に現れた信号および前記第２信号線に現れた信号の差分を演算して、前記第１信号線に現れた信号を補正することを特徴とする請求項１に記載の放射線撮像装置。
【請求項４】
前記大きさの比が所定の閾値以下のとき、前記読出部は前記第１期間および前記第２期間における動作を止め、前記第１信号線の電圧がリセットされる動作と、その後に、前記第１スイッチを導通した後に前記第１信号線に現れた信号を読み出す動作を開始することを特徴とする請求項２に記載の放射線撮像装置。
【請求項５】
前記放射線撮像装置は、放射線を光に変換するシンチレータを有し、
前記第１変換素子及び前記第２変換素子は、該光を電気信号に変換する光電変換素子を含むことを特徴とする請求項１乃至４のいずれか１項に記載の放射線撮像装置。
【請求項６】
前記シンチレータと前記第２変換素子との間に遮光部材が配置されていることを特徴とする請求項５に記載の放射線撮像装置。
【請求項７】
前記第１変換素子の放射線を検出するための領域の大きさと前記第２変換素子の放射線を検出するための領域の大きさとは互いに異なることを特徴とする請求項１乃至６のいずれか１項に記載の放射線撮像装置。
【請求項８】
前記第１変換素子に印加されるバイアス電圧と前記第２変換素子に印加されるバイアス電圧とは互いに異なる電圧であることを特徴とする請求項１乃至６のいずれか１項に記載の放射線撮像装置。
【請求項９】
前記第１検出素子および前記第２検出素子が配置される撮像領域において、
前記第２検出素子は、前記撮像領域の周辺部に配置されていることを特徴とする請求項１乃至８のいずれか１項に記載の放射線撮像装置。
【請求項１０】
前記第１検出素子および前記第２検出素子が配置される撮像領域において、
前記第２検出素子が複数個配置されていることを特徴とする請求項１乃至９のいずれか１項に記載の放射線撮像装置。
【請求項１１】
請求項１乃至１０のいずれか１項に記載の放射線撮像装置と、
前記放射線撮像装置からの信号を処理する信号処理部と、を備えることを特徴とする放射線撮像システム。
【発明の詳細な説明】
【技術分野】
【０００１】
本発明は、放射線撮像装置および放射線撮像システムに関する。
【背景技術】
【０００２】
放射線を電荷に変換する変換素子と薄膜トランジスタ（ＴＦＴ）などのスイッチ素子とを組み合わせた画素が２次元アレイ状に配置された放射線撮像装置がある。この放射線検出装置に照射情報を検出する機能を内蔵させることが検討されている。例えば、放射線の照射の開始、照射量や積算照射量を検出する機能である。この機能により、積算照射量を監視し、積算照射量が適正量に達した時点で検出装置が放射線源を制御し照射を終了させる自動露出制御（ＡＥＣ）が可能となる。
【０００３】
放射線の照射開始の検出、照射量や積算照射量の測定をするための検出素子からの信号を読み出すための信号線は放射線の撮影画像取得用の画素近傍にも配線される。このため、信号線と撮影画像取得用の画素との間で無視できない容量が形成される。この容量により、放射線検出素子からの情報だけを把握したくても、画素からの信号が容量を介して信号線に伝達されてしまい（クロストーク）、放射線量を正確に測定することが難しかった。また、放射線検出素子に薄膜トランジスタや光電変換素子を用いた場合、温度が変化すると例えばリーク電流やダーク電流といった特性が変化する。また、温度が変化すると、薄膜トランジスタや光電変換素子を駆動させたときに発生するオフセットレベル特性などが変化する。
【０００４】
特許文献１には、スイッチが導通しない第１期間に現れる検出素子からの信号と、スイッチが導通する第２期間に現れる検出素子からの信号との差分に基づいて、クロストークによる影響を低減する技術が開示されている。
【先行技術文献】
【特許文献】
【０００５】
【特許文献１】特開２０１５−２１３２２１号公報
【発明の概要】
【発明が解決しようとする課題】
【０００６】
しかしながら、放射線の照射の開始されたときなど、放射線の強度やリーク電流やダーク電流といったオフセット成分の特性等が時間的に変化する場合がある。この場合は第１期間と第２期間とで、第１期間の信号に含まれるクロストーク成分やオフセット成分と、第２期間の信号に含まれるクロストーク成分やオフセット成分とに相違が生じる。したがって特許文献１に記載されたように差分を演算するだけではクロストークやオフセット成分の影響を低減するのには不十分であることが分かった。
【０００７】
本発明の一つの側面は、放射線を検出する素子からの信号に対するクロストークやオフセット成分による影響を低減するのに有利な技術を提供することを目的とする。
【課題を解決するための手段】
【０００８】
上記課題に鑑みて、本発明の放射線撮像装置は、放射線を電気信号に変換する第１変換素子と前記第１変換素子の出力を第１信号線に接続する第１スイッチとを含む少なくとも1つの第１検出素子と、放射線を電気信号に変換する第２変換素子と前記第２変換素子の出力を第２信号線に接続する第２スイッチとを含む少なくとも１つの第２検出素子と、前記第１信号線及び前記第２信号線に現れる信号を読み出す読出部と、記第１信号線及び前記第２信号線の電位をリセットするリセット部と、記読出部により読み出された信号を処理する信号処理回路と、を有する撮像装置であって、放射線に対する前記第１変換素子の感度と放射線に対する前記第２変換素子の感度とは異なるように設定され、前記読出部が、前記第１信号線および前記第２信号線から信号を読み出す期間は、前記リセット部によって前記第１信号線及び前記第２信号線の電圧がリセットされる動作と、その後に前記第１スイッチ及び前記第２スイッチが導通しない状態で前記第１信号線及び前記第２信号線に現れる信号がそれぞれ読み出される動作と、を含む第１期間と、前記リセット部によって前記第１信号線及び前記第２信号線の電圧がリセットされる動作と、その後に前記第１スイッチ及び前記第２スイッチが導通した後に前記第１信号線及び前記第２信号線に現れる信号がそれぞれ読み出される動作と、を含む第２期間と、を含み、前記信号処理回路は、前記第１期間および前記第２期間に前記第２信号線から読み出された信号に基づいて前記第２期間に前記第１信号線から読み出された信号を補正することを特徴とする。
【発明の効果】
【０００９】
本発明により、放射線を検出する素子からの信号に対するクロストークやオフセット成分による影響を低減するのに有利な技術が提供される。
【図面の簡単な説明】
【００１０】
【図１】本発明の第１実施形態の放射線撮像装置の構成を示す図。
【図２】放射線撮像装置を含む放射線撮像システムの構成例を示す図。
【図３】本発明の第１実施形態の放射線撮像装置の別の構成を示す図。
【図４】本発明の第１実施形態の放射線撮像装置の動作を示す図。
【図５】本発明の第１実施形態の放射線撮像装置における撮像画素、第１検出素子および第２検出素子の構成を示す平面図。
【図６】図５のＡ−Ａ’線に沿った断面図（ａ）および図５のＢ−Ｂ’線に沿った断面図（ｂ）。
【図７】本発明の第１実施形態の放射線撮像装置の別の構成を示す図。
【図８】図７の放射線撮像装置の画素の構成を示す平面図。
【図９】本発明の第１実施形態の放射線撮像装置の構成を示す図。
【図１０】比較例を示す図。
【図１１】本発明の第１実施形態に係る放射線撮像装置の動作を示す図。
【図１２】検出素子の配置例を示す図。
【図１３】検出素子の配置例を示す図。
【図１４】本発明の第２実施形態に係る放射線撮像装置の動作を示す図。
【図１５】本発明の第３実施形態の放射線撮像装置の動作を示す図。
【図１６】放射線検知システムの構成例を示す図。
【発明を実施するための形態】
【００１１】
以下、本発明に係る放射線撮像装置の具体的な実施形態を、添付図面を参照して説明する。なお、以下の実施形態は特許請求の範囲に係る発明を限定するものではない。実施形態には複数の特徴が記載されているが、これらの複数の特徴の全てが発明に必須のものとは限らず、また、複数の特徴は任意に組み合わされてもよい。さらに、以下の説明および図面において、複数の図面に渡って共通の構成については共通の符号を付している。そのため、複数の図面を相互に参照して共通する構成を説明し、共通の符号を付した構成については適宜説明を省略する。なお、本発明における放射線には、放射線崩壊によって放出される粒子（光子を含む）の作るビームであるα線、β線、γ線などの他に、同程度以上のエネルギーを有するビーム、例えばＸ線や粒子線、宇宙線なども含みうる。
【００１２】
（第１実施形態）
図１には、本実施形態の放射線撮像装置２００の構成が示されている。放射線撮像装置２００は、複数の行および複数の列を構成するように撮像領域ＩＲに配列された複数の画素を有する。撮像領域ＩＲには、放射線画像の取得のための複数の撮像画素１０１と、放射線の照射の情報を生成するための第１検出素子１２１と、放射線の照射の情報を補正するための第２検出素子３０１とが配置されている。撮像画素１０１は、放射線を電気信号に変換する撮像素子１０２と、列信号線１０６と撮像素子１０２との間に配置された接続スイッチ１０３とを含む。第１検出素子１２１は、放射線を電気信号に変換する第１変換素子１２２と、第１信号線１２５と第１変換素子１２２との間に配置された第１スイッチ１２３とを含む。第２検出素子３０１は、放射線を電気信号に変換する第２変換素子３０２と、第２信号線３０５と第２変換素子３０２との間に配置された第２スイッチ３０３とを含む。第１検出素子１２１と第２検出素子３０１は、複数の撮像画素１０１の一部と同一の列に配置されうる。また、第２検出素子３０１は、第１検出素子１２１と同一の列の近傍に配置されうる。
【００１３】
撮像素子１０２、第１変換素子１２２および第２変換素子３０２は、放射線を光に変換するシンチレータおよび光を電気信号に変換する光電変換素子とで構成されうる。シンチレータは、一般的には、撮像領域ＩＲを覆うようにシート状に形成され、複数の画素によって共有されうる。あるいは、撮像素子１０２、第１変換素子１２２および第２変換素子３０２は、放射線を直接電気信号に変換する変換素子で構成されうる。
【００１４】
接続スイッチ１０３、第１スイッチ１２３および第２スイッチ３０３は、非晶質シリコンまたは多結晶シリコンなどの半導体で構成された薄膜トランジスタ（ＴＦＴ）で構成されうる。
【００１５】
放射線撮像装置２００は、複数の列信号線１０６および複数の駆動線１０４を有する。各列信号線１０６は、撮像領域ＩＲにおける複数の列のうちの１つに対応する。各駆動線１０４は、撮像領域ＩＲにおける複数の行のうちの１つに対応する。各駆動線１０４は行選択部２２１によって駆動される。駆動線１０４は接続スイッチ１０３の制御電極に接続されており、駆動線１０４がハイレベルに駆動されると接続スイッチ１０３は導通する。
【００１６】
撮像素子１０２の第１電極は、接続スイッチ１０３の第１主電極に接続され、撮像素子１０２の第２電極は、バイアス線１０８に接続される。ここで、１つのバイアス線１０８は、列方向に延びていて、列方向に配列された複数の撮像素子１０２の第２電極に共通に接続される。バイアス線１０８は、電源回路２２６からバイアス電圧Ｖｓを供給される。１つの列を構成する複数の撮像画素１０１の接続スイッチ１０３の第２主電極は、１つの列信号線１０６に接続される。１つの行を構成する複数の撮像画素１０１の接続スイッチ１０３の制御電極は、１つの駆動線１０４に接続される。
【００１７】
複数の列信号線１０６は、読出部１３０に接続される。ここで、読出部１３０は、複数の検知部１３２と、マルチプレクサ１３４と、アナログデジタル変換器（以下、ＡＤ変換器）１３６とを含みうる。複数の列信号線１０６のそれぞれは、読出部１３０の複数の検知部１３２のうち対応する検知部１３２に接続される。ここで、１つの列信号線１０６は、１つの検知部１３２に対応する。検知部１３２は、差動増幅器を含むことができる。マルチプレクサ１３４は、複数の検知部１３２を所定の順番で選択し、選択した検知部１３２からの信号をＡＤ変換器１３６に供給する。ＡＤ変換器１３６は、供給された信号をデジタル信号に変換して出力する。
【００１８】
第１検出素子１２１の第１変換素子１２２の第１電極は、第１スイッチ１２３の第１主電極に接続され、第１変換素子１２２の第２電極は、バイアス線１０８に接続される。第１スイッチ１２３の第２主電極は、第１信号線１２５に接続される。第１スイッチ１２３の制御電極は、駆動線１２４に電気的に接続される。放射線撮像装置２００は、複数の第１信号線１２５を有しうる。１つの第１信号線１２５には、１または複数の第１検出素子１２１が接続されうる。駆動線１２４は、駆動部２４１によって駆動される。１つの駆動線１２４には、１または複数の第１検出素子１２１が接続されうる。駆動線１２４が駆動部２４１によりハイレベルに駆動されると、第１スイッチ１２３が導通する。
【００１９】
第２検出素子３０１の第２変換素子３０２の第１電極は、第２スイッチ３０３の第１主電極に接続され、第２変換素子３０２の第２電極は、バイアス線１０８に接続される。第２スイッチ３０３の第２主電極は、第２信号線３０５に接続される。第２スイッチ３０３の制御電極は、駆動線１２４に電気的に接続される。放射線撮像装置２００は、複数の第２信号線３０５を有しうる。１つの第２信号線３０５には、１または複数の第２検出素子３０１が接続されうる。駆動線１２４は、駆動部２４１によって駆動される。１つの駆動線１２４には、１または複数の第２検出素子３０１が接続されうる。駆動線１２４が駆動部２４１によってハイレベルに駆動されると、第２スイッチ３０３が導通する。
【００２０】
第１信号線１２５および第２信号線３０５は、読出部１４０に接続される。ここで、読出部１４０は、複数の検知部１４２、１４３と、マルチプレクサ１４４と、ＡＤ変換器１４６とを含みうる。複数の第１信号線１２５は読出部１４０の複数の検知部１４２のうち対応する検知部１４２に接続され、複数の第２信号線３０５は読出部１４０の複数の検知部１４３のうち対応する検知部１４３に接続されうる。ここで、１つの第１信号線１２５又は第２信号線３０５は、１つの検知部１４２又は１４３に対応する。検知部１４２および１４３は、差動増幅器を含むことができる。マルチプレクサ１４４は、複数の検知部１４２および１４３を所定の順番で選択し、選択した検知部１４２又は１４３からの信号をＡＤ変換器１４６に供給する。ＡＤ変換器１４６は、供給された信号をデジタル信号に変換して出力する。
【００２１】
読出部１４０のＡＤ変換器１４６の出力は、信号処理回路２２４に供給され、信号処理回路２２４によって処理される。信号処理回路２２４は、読出部１４０のＡＤ変換器１４６の出力に基づいて、放射線撮像装置２００に対する放射線の照射に関する情報を生成し出力する。具体的には、信号処理回路２２４は、放射線撮像装置２００に対する放射線の照射の開始を検知したり、放射線の照射量および／または積算照射量を演算しうる。また制御部２２５は、信号処理回路２２４からの情報に基づいて、行選択部２２１、駆動部２４１および読出部１３０を制御する。制御部２２５は、信号処理回路２２４からの情報に基づいて、放射線の照射の開始および終了を制御する信号を外部へ出力しうる。制御部２２５は、撮像画素１０１に照射された放射線に対応する電荷の蓄積の開始と終了とを制御する。
【００２２】
図２には、放射線撮像装置２００を含む放射線撮像システムの構成が例示されている。放射線撮像システムは、放射線撮像装置２００の他、コントローラ１００２、インターフェース１００３、放射線源インターフェース１００４、放射線源１００５を備えている。
【００２３】
コントローラ１００２には、照射する線量Ａ、照射時間Ｂ（ｍｓ）、放射線源の管電流Ｃ（ｍＡ）、管電圧Ｄ（ｋＶ）、放射線をモニターすべき領域である放射線検知領域（ＲＯＩ）などが入力されうる。放射線源１００５に付属された爆射スイッチが操作されると、放射線源１００５から放射線が放射される。制御部２２５は、放射線検知領域（ＲＯＩ）に配置された第１検出素子１２１から読み出された信号の積分値が線量Ａ’に達したら、インターフェース１００３を介して放射線源インターフェース１００４に曝射停止信号を送ることができる。これに応答して、放射線源インターフェース１００４は、放射線源１００５に放射線の放射を停止させる。ここで、線量Ａ’は、線量Ａ、放射線照射強度、各ユニット間の通信ディレイ、処理ディレイ等に基づいて、制御部２２５によって決定されうる。また、放射線の照射時間が照射時間Ｂに達した場合は、放射線源１００５は、爆射停止信号の有無にかかわらず、放射線の照射を停止する。
【００２４】
本実施形態では、第１検出素子１２１と第２検出素子３０１が配置された箇所の画像情報を読み出すことができない。しかし、第１検出素子１２１と第２検出素子３０１の周囲の撮像画素１０１の出力を用いて補間処理を行うことで、第１検出素子１２１と第２検出素子３０１が配置された箇所の画像情報を得ることができる。
【００２５】
図１に示された構成例では、撮像画素１０１からの信号と第１検出素子１２１および第２検出素子３０１からの信号とが別個の読出部１３０、１４０によって読み出されるが、図３に例示されるように、共通の読出部１４０によって信号が読み出されてもよい。また、図１では、撮像画素１０１と第１検出素子１２１および第２検出素子３０１の駆動線と信号線は別個としているが、同一であってもよい。
【００２６】
図４には、本実施形態の放射線撮像装置２００の動作が例示されている。以下の説明において、撮像画素１０１を駆動する駆動線１０４に印加される信号をＶｇ１〜Ｖｇｎとし、第１検出素子１２１および第２検出素子３０１を駆動する駆動線１２４に印加される信号をＶｄ１〜Ｖｄｎとする。接続スイッチ１０３、第１スイッチ１２３、第２スイッチ３０３は、制御電極に供給される信号がハイレベルであるときに導通状態となり、制御電極に供給される信号がローレベルであるときに非導通状態となる。
【００２７】
期間Ｔ１は、放射線の照射の開始を待つ期間である。具体的には、放射線撮像装置２００の電源が投入され、放射線画像の撮像が可能な状態となってから放射線源１００５の曝射スイッチが操作され、放射線の照射が検知されるまでが期間Ｔ１である。
【００２８】
期間Ｔ１では、信号Ｖｄ１〜Ｖｄｎがハイレベルに固定され、第１検出素子１２１の第１スイッチ１２３が導通状態に固定される。第１検出素子１２１から読出部１４０によって読み出された信号は、信号処理回路２２４で処理され、放射線の照射の開始が検知される。放射線の照射の開始が検知されると、期間Ｔ２に移行する。期間Ｔ１では、撮像素子１０２において発生するダーク電流を除去するために、それぞれの撮像素子１０２を定期的に定電位にリセットすることが望ましい。この例では、期間Ｔ１のリセット時には各駆動線１０４の電圧Ｖｇ１〜Ｖｇｎが順次にハイレベルにされ、撮像素子１０２は、定電圧に固定された列信号線１０６に電気的に接続される。これによって、ダーク電流による電荷が撮像素子１０２に長時間にわたって蓄積されることが防止される。期間Ｔ１の長さは、撮影手法・条件等により大きく異なるが、数ｓｅｃ〜数ｍｉｎでありうる。
【００２９】
期間Ｔ２は、放射線が照射されている期間である。一例として、期間Ｔ２は、放射線の照射の開始が検知されてから放射線の曝射量が所定の線量となるまでの期間である。期間Ｔ２は、放射線の照射量をモニターする期間であるとも言える。期間Ｔ２では、信号Ｖｄ１〜Ｖｄｎが断続的にハイレベルにされ、第１検出素子１２１の第１スイッチ１２３が断続的に導通状態にされる。同時に、駆動線１２４に接続される第２検出素子３０１の第２スイッチ３０３も断続的に導通状態にされる。第１検出素子１２１と第２検出素子３０１から第１信号線１２５及び第２信号線３０５を介して読出部１４０によって読み出された信号は、信号処理回路２２４で処理され、線量が検知される。期間Ｔ２では、各駆動線１０４に印加される信号Ｖｇ１〜Ｖｇｎがローレベルにされる。これにより、撮像画素１０１の撮像素子１０２では、発生した電荷が蓄積される。期間Ｔ２の長さは、撮影手法・条件等により大きく異なるが、１ｍｓｅｃ〜数百ｍｓｅｃ程度でありうる。
【００３０】
制御部２２５は、放射線検知領域（ＲＯＩ）に配置された第１検出素子１２１から読み出された信号の積分値が線量Ａ’に到達したら放射線撮像装置２００の動作を期間Ｔ３に移行させる。また、このとき、制御部２２５は、インターフェース１００３を介して放射線源インターフェース１００４に曝射停止信号を送る。
【００３１】
期間Ｔ３は、放射線の照射が終了した後に、放射線により撮像画素１０１に蓄積された信号を読み出す期間である。期間Ｔ３では、信号Ｖｄ１〜Ｖｄｎがローレベルにされる。期間Ｔ３では、第１信号線１２５および第２信号線３０５がフローティングになることを防ぐために、第１信号線１２５および第２信号線３０５とを固定電位に接続するとよい。
【００３２】
期間Ｔ３では、複数の行を走査するために、Ｖｇ１〜Ｖｇｎが順次にハイレベルにされる。撮像画素１０１に蓄積された信号は、図３の読出部１４０（図１の読出部１３０）によって読み出される。本実施形態ではＶｇ１〜Ｖｇｎの印加されるタイミングは、各撮像画素１０１における蓄積時間が一定となるように調整されている。つまり、期間Ｔ１においてリセットのために最後にハイレベルが印加された行に応じて、期間Ｔ３で最初にハイレベルが印加される行が決定される。図４では、期間Ｔ１において最後にハイレベルが印加された行がＶｇ１に対応する行であるので、期間Ｔ３では、Ｖｇ２に対応する行から順にハイレベルが印加される。
【００３３】
本実施形態では、第１検出素子１２１の変換素子である第１変換素子１２２が接続された第１信号線１２５は、撮像画素１０１から信号を読み出すための列信号線１０６とは別個に設けられた信号線であるので、撮像画素１０１が接続されていない。したがって、第１信号線１２５に対する寄生容量などの影響を小さくすることができる。これにより、放射線の照射を高い応答性でモニターすることができる。
【００３４】
また、本実施形態では、第１検出素子１２１に第１スイッチ１２３を設けることによって、第１信号線１２５の本数を少なくしながら第１検出素子１２１ごとに放射線の照射を検知することができる。ここで、第１検出素子１２１ごと、あるいは、少なくとも１つの第１検出素子１２１を含む放射線検知領域（ＲＯＩ）ごとに放射線を検知することができる構成は、より適切な線量制御および露出制御の実現に寄与する。
【００３５】
図５は、本実施形態の放射線撮像装置２００における撮像画素１０１、第１検出素子１２１および第２検出素子３０１の構成を示す平面図である。ここで、平面図は、放射線撮像装置２００の撮像領域ＩＲに平行な面への正投影と等価である。図６（ａ）は、図５のＡ−Ａ’線に沿った断面図、図６（ｂ）は、図５のＢ−Ｂ’線に沿った断面図である。
【００３６】
図５および図６（ａ）に例示されるように、第１検出素子１２１は、第１変換素子１２２と、第１スイッチ１２３とを含む。第１変換素子１２２は、本実施形態では、不図示のシンチレータによって放射線から変換された光を電荷に変換し蓄積する光電変換素子でありうる。ただし、第１変換素子１２２は、放射線を直接電荷に変換するように構成されてもよい。第１スイッチ１２３は、第１変換素子１２２に蓄積された電荷に応じた電気信号を出力するＴＦＴ（薄膜トランジスタ）を含む。第１変換素子１２２は、ＰＩＮ型のフォトダイオード１５４でありうる。第１変換素子１２２は、第１スイッチ１２３を介して、第１信号線１２５と接続される。第１変換素子１２２は、ガラス基板等の絶縁性の支持基板１００の上に配置された第１スイッチ１２３の上に層間絶縁層１２９を挟んで配置されうる。第１変換素子１２２は、第１電極１５１、ＰＩＮフォトダイオード１５４、第２電極１５７で構成されうる。
【００３７】
第１変換素子１２２の上には、保護膜１５８、第２層間絶縁層１５９、バイアス線１０８、保護膜１６０が順に配置されている。保護膜１６０の上には、不図示の平坦化膜およびシンチレータが配置されている。第２電極１５７は、コンタクトホールを介してバイアス線１０８に接続されている。第２電極１５７には、光透過性を有するＩＴＯなどが用いられ、シンチレータで放射線から変換された光が透過可能な構成となっている。
【００３８】
図５に例示されるように、第２検出素子３０１は、第２変換素子３０２と、第２スイッチ３０３とを含み、その構成は、図６（ａ）に例示される第１検出素子１２１と同様に構成される。第２検出素子３０１は、第１検出素子１２１の構成に加えて、撮像領域の上部に配されたシンチレータ（不図示）と第２変換素子３０２との間に遮蔽部材３０４を有する。本実施形態において、第２検出素子３０１および第２変換素子３０２は、全体が遮蔽部材３０４に覆われる。すなわち、入射した放射線に対する感度が著しく低くなる。遮蔽部材３０４は、第２変換素子３０２が第１変換素子１２２と同様に光電変換素子である場合は光を通さない遮光部材でありうる。
【００３９】
図５および図６（ｂ）に例示されるように、撮像画素１０１は、撮像素子１０２と、接続スイッチ１０３とを含む。撮像素子１０２は、第１変換素子１２２と同様に、不図示のシンチレータによって放射線から変換された光を電荷に変換し蓄積する光電変換素子でありうる。ただし、撮像素子１０２は、放射線を直接電荷に変換するように構成されてもよい。接続スイッチ１０３は、撮像素子１０２に蓄積された電荷に応じた電気信号を出力するＴＦＴ（薄膜トランジスタ）を含む。撮像素子１０２は、ＰＩＮ型のフォトダイオード１５４でありうる。撮像素子１０２は、接続スイッチ１０３を介して、列信号線１０６と接続される。撮像素子１０２は、ガラス基板等の絶縁性の支持基板１００の上に配置された接続スイッチ１０３の上に層間絶縁層１２９を挟んで配置されうる。撮像素子１０２は、第１電極１５１、ＰＩＮフォトダイオード１５４、第２電極１５７で構成されうる。撮像素子１０２、第１変換素子１２２は、ＭＩＳ型のセンサによって構成されてもよい。
【００４０】
図７は本実施形態における放射線撮像装置２００の回路構成を示す等価回路図で、図１、３に示した回路構成の変形例を示したものである。図１、２に示した等価回路図と異なる点は、第１検出素子１２１、第２検出素子３０１に代えて、第１検出素子と撮像画素と、第２検出素子と撮像画素とを、それぞれ対にした画素１２１ａ、３０１ａを配したことである。これ以外の点は、図１、３に示した放射線撮像装置２００と同じであってよい。放射線を検出するための変換素子を配置した領域にも撮像用の変換素子を配置することによって、画素の欠落を抑制し、画像の補正を容易にすることが可能となる。
【００４１】
図８（ａ）は画素１２１ａ、図８（ｂ）は画素３０１ａの平面図を示す。画素１２１ａの上側半分は撮像画素１０１と同等の構成を有し、撮像画素１０１の撮像素子１０２よりも面積の小さい変換素子１０２ａを有する。画素１２１ａの下側は第１検出素子１２１と同等の構成を有し、第１検出素子１２１の第１変換素子１２２よりも面積の小さい変換素子１２２ａを有する。画素３０１ａの上側半分は撮像画素１０１と同等の構成を有し、撮像画素１０１の撮像素子１０２よりも面積の小さい変換素子１０２ａを有する。画素３０１ａの下側は第２検出素子３０１と同等の構成を有し、第２検出素子３０１の第２変換素子３０２よりも面積の小さい変換素子３０２ａを有する。また、画素３０１ａの上部に配されたシンチレータ（不図示）と変換素子３０２ａとの間に放射線に対する遮蔽部材３０４ａを有する。変換素子３０２ａは、全体が遮蔽部材３０４ａに覆われる。変換素子１０２ａの面積は、撮像画素１０１の撮像素子１０２の約１／２程度の面積になるが、オフセット補正やゲイン補正などの画像処理によって、撮像画素１０１と同等の出力を得ることが可能となる。また画素３０１ａに配置される変換素子３０２ａおよびスイッチ３０３は、画素１２１ａに配置される変換素子１２２ａおよび第１スイッチ１２３と同一の構造を有してよい。シンチレータおよび変換素子３０２ａに光電変換素子を用いることにより放射線を検出する場合は遮蔽部材として遮光性がある部材を使うことができる。
【００４２】
読出部１４０の構成および動作について図９〜図１１を参照して説明する。図９には、第１検出素子１２１から信号を読みだす読出部１４０の構成例が示されている。
【００４３】
読出部１４０の検知部１４２は、増幅回路と、保持容量ＨＣと、サンプリングスイッチＳＷとを含む。増幅回路は、第１入力端子、第２入力端子および出力端子を有する差動増幅器ＤＡと、該第１入力端子と該出力端子との間に並列に設けられた帰還容量Ｃｆおよびリセット部として機能するリセットスイッチＲＳとを含む。該第１入力端子には、第１信号線１２５が接続され、該第２入力端子には基準電位ＲＥＦ（固定電位）が供給される。サンプリングスイッチＳＷは、差動増幅器ＤＡの出力端子と保持容量ＨＣとの間に配置されている。第１検出素子１２１の第１変換素子１２２の第１電極１５１の電位を電位ＶＡとする。差動増幅器ＤＡ（増幅回路）の出力端子の電位を電位ＶＢとする。なお、図１０、図１１中の「放射線」は照射される放射線の線量を示し、「駆動信号」は、駆動線１２４に印加される信号のレベルを示す。
【００４４】
放射線源より発生する線量に変化がない場合を比較例として、図１０により説明をする。放射線の照射中（図４における期間Ｔ２）は、撮像画素１０１の第１電極１５１の電位が変動する。これに伴って、第１電極１５１と第１検出素子が接続される第１信号線１２５との間の寄生容量を介して、第１電極の電位が第１信号線１２５へ影響する（クロストーク）ことによって、第１信号線１２５の電位が変化する。第１信号線に現れる電位の変動により差動増幅器ＤＡの出力端子の電位ＶＢも変動する。図１０において、電位ＶＢに示す「クロストーク成分」は、クロストークによる第１信号線１２５の電位変化に対応するＶＢの変化を示している。また、駆動信号をハイレベルにしたときに電位ＶＢに現れる「放射線成分」は、第１スイッチ１２３を導通することによる第１信号線１２５の電位変化（第１変換素子１２２に蓄積された電荷に相当する）に対応するＶＢの変化を示している。したがって、サンプリング信号ＳＨをハイレベルにしてサンプリングスイッチＳＷを導通させることによって保持容量ＨＣに蓄積される信号は、「クロストーク成分」および「放射線成分」を含んだ信号になる。
【００４５】
以下、期間Ｔ２において本実施形態に基づく放射線源により発生する線量が変化する場合のクロストークの影響を低減するための動作を図１１により説明する。図１１の「放射線」に示すように放射線源より発生する放射線の線量は、時々刻々変化する。図１１は例示として、放射線の線量が変化する場合（放射線源の立ち上がり時）を示している。ＶＡ１は、第１検出素子１２１の第１電極１５１の電位、ＶＢ１は、第１検出素子が接続される差動増幅器ＤＡの出力端子の電位である。第２検出素子３０１の第２スイッチ３０３が接続されている第２信号線３０５にも検知部１４３が接続されている。第２信号線３０５が接続されている検知部１４３も図９に示す第１信号線１２５が接続されている検知部１４２と同様の回路構成である。ここで、第２検出素子３０１の第１電極１５１の電位をＶＡ２とし、第２信号線３０５が接続される検知部１４３の差動増幅器ＤＡの出力端子の電位をＶＢ２とする。リセット信号ΦＲ、サンプリング信号ＳＨは検知部１４２および検知部１４３に同時に印加される。まず、時刻ｔ０でリセット信号ΦＲがハイレベルにされ、リセットスイッチＲＳが導通状態にされる。これによって、差動増幅器ＤＡの出力電位ＶＢ１、ＶＢ２が同時に参照電位ＲＥＦにリセットされる。リセット信号ΦＲがローレベルにされてリセットスイッチＲＳが非導通状態になった瞬間（時刻ｔ１）から、第１信号線１２５および第２信号線３０５の電位がクロストークにより変化する。この変化に応じて差動増幅器ＤＡの出力電位ＶＢ１、ＶＢ２がクロストークによって変化し始める。
【００４６】
次に、サンプリング信号ＳＨをローレベルからハイレベルにし、更にハイレベルからローレベルにすることによって保持容量ＨＣにサンプリングを行う（〜時刻ｔ２）。これによって、第１信号線１２５と第２信号線３０５とに現れるクロストーク成分に相当する信号Ｃ１、Ｃ１’が同時に検知部１４２および検知部１４３が有するそれぞれの保持容量ＨＣにそれぞれ保持される。信号Ｃ１、Ｃ１’は、マルチプレクサ１４４およびＡＤ変換器１４６を介して出力される。
【００４７】
次に、時刻ｔ３でリセット信号ΦＲがハイレベルにされ、リセットスイッチＲＳが導通状態にされる。これによって、差動増幅器ＤＡの出力電位ＶＢ１、ＶＢ２が同時に参照電位ＲＥＦにリセットされる。リセット信号ΦＲがローレベルにされてリセットスイッチＲＳが非導通状態になった瞬間（時刻ｔ４）から、差動増幅器ＤＡの出力電位ＶＢ１、ＶＢ２が再びクロストークによって変化し始める。
【００４８】
次に、時刻ｔ５〜ｔ６において、駆動線１２４の電位（駆動信号）をハイレベルにすることによって、第１スイッチ１２３と第２スイッチ３０３を同時に導通状態とする。このとき、第１変換素子１２２に蓄積されていた電荷の量に応じてＶＢ１が変化する。一方、第２変換素子３０２は遮蔽部材３０４によって遮蔽されており、放射線に対する感度が著しく低く設定されるため、第２変換素子３０２には放射線の照射による電荷はほとんど蓄積しない。そのため、ＶＢ２にはクロストーク成分のみが含まれる。第１スイッチ１２３と第２スイッチ３０３が導通状態となっている状態でも、放射線は当り続けているので、出力電位ＶＢ１、ＶＢ２の電位は、クロストークによって変化し続ける。
【００４９】
次に、サンプリング信号ＳＨをローレベルからハイレベルにし、更にハイレベルからローレベルにすることによって検知部１４２および検知部１４３のそれぞれの保持容量ＨＣにサンプリングを行う（〜時刻ｔ７）。これによって、第１検出素子の検知部１４２ではクロストーク成分Ｃ２および放射線成分に相当する信号Ｓが保持容量ＨＣに保持される。一方、第２検出素子の検知部１４３では、第２検出素子の放射線に対する感度が著しく低いため、クロストーク成分Ｃ２’のみが保持容量ＨＣに保持される。各信号は、マルチプレクサ１４４およびＡＤ変換器１４６を介して出力される。
【００５０】
放射線の線量が変化しない場合は、時刻ｔ３〜ｔ４の期間にリセットスイッチＲＳを導通させて、第１信号線１２５の電位を基準電位ＲＥＦにリセットすることによって、クロストーク成分Ｃ１とクロストーク成分Ｃ２を近い値にすることができる。また、図１１における期間ＴＴ１と期間ＴＴ２とを等しくすることによって、クロストーク成分Ｃ１とクロストーク成分Ｃ２との差を小さくすることができる。よって、信号処理回路２２４が信号（Ｓ+Ｃ２）と信号Ｃ１との差分を演算することによって、クロストーク成分の影響を低減することができる。
【００５１】
しかし、図１１に示されるように、照射される放射線の線量が変化する場合、単位時間当たりの画素に蓄積される電荷量が変化し、単位時間当たりのクロストーク成分による影響の蓄積量も変化する。そのため、時刻ｔ７において得られるクロストーク成分Ｃ２と、時刻ｔ２において得られるクロストーク成分Ｃ１の値が異なってしまう。この場合、信号（Ｓ+Ｃ２）と信号Ｃ１との差分を演算しても、クロストーク成分を十分に低減することができず、放射線成分を正確に検出することができない。そこで、クロストーク成分の影響を十分に低減するために、第２検出素子３０１から第２信号線３０５を介して読み出された、クロストーク成分である信号Ｃ１’とＣ２’とから時刻ｔ２から時刻ｔ７にかけてのクロストーク成分の変化率を算出する。この変化率を第１検出素子１２１から第１信号線１２５を介して読み出された信号（Ｓ+Ｃ２）と信号Ｃ１との差分の演算をするときの補正に用いる。第１検出素子１２１と第２検出素子３０１からの信号に対するそれぞれのクロストーク成分の変化は、同一の放射線の照射により発生するため、配置されている位置が違ってもその変化率は等しくなる。そのため、第２検出素子３０１からの信号より得られるクロストーク成分の変化率を用いることで、時刻ｔ７における第１検出素子１２１に対するクロストーク成分の値を正確に見積もることができる。見積もったクロストーク成分によりクロストーク成分の影響を低減し、放射線成分Ｓをより正確に検出することができる。第２検出素子３０１からの信号より得られるクロストーク成分の変化率（Ｃ２’／Ｃ１’）を補正値として用いて、以下のような演算（式１）でクロストーク成分の影響を低減することができる。補正された検出信号Ｓは次のように求めることができる。
検出信号Ｓ＝Ｓ+Ｃ２−Ｃ１＊（Ｃ２’／Ｃ１’）・・・式１
以上のようにクロストーク成分を補正により除去し、補正された検出信号Ｓに基づいて放射線の照射量に関する情報を高い精度で生成することができる。特に、放射線の照射の開始の検知、放射線の積算照射量（線量）の検知などの場合では、短時間で信号を読み出す必要があることから、小さい信号値を扱う必要がある。また、放射線の積算照射量（線量）の検知では、放射線の照射量が時間的に変化することによりクロストーク成分の補正誤差が積算されてしまい、放射線量の検知精度に大きな影響を与えてしまう。そのため、本発明のように精度を高めてクロストーク成分を除去する意義は非常に大きい。このように補正により求めた信号を用いて照射量の生成を行うことにより、照射量の精確性を向上できる。
【００５２】
以上では、第２変換素子に遮光部材を設けることにより、放射線に対する第１変換素子と第２変換素子との感度を異なる感度にする例を説明した。しかし、感度を異なるようにする方法は遮光部分を設けることには限らない。第１変換素子に印加されるバイアス電圧と第２変換素子に印加されるバイアス電圧を互いに異なる電圧に設定し、第１変換素子の感度と第２変換素子の感度を異なるようにしてもよい。この場合、第１変換素子に印加されるバイアス電圧よりも低くすることにより第２変換素子の感度を低くなるように調整してもよい。または、第１変換素子の領域の大きさ（面積）と第２変換素子の領域の大きさと互いに異なるようにして、異なる感度にしてもよい。この場合は、第１変換素子の放射線を検出するための領域を第２変換素子の放射線を検出するための領域より大きくすることにより、第１変換素子の感度を第２変換素子の感度より高くすることができる。
【００５３】
次に第１検出素子と第２検出素子との配置例について説明する。図１２に示す例では、画像の関心領域部に複数の第１検出素子１２１が配置され、第１検出素子と同一の駆動線に接続された第２検出素子３０１が、放射線が照射される領域内の第１検出素子から離れた位置に配置されている。第２検出素子３０１は、第１検出素子１２１と同一の駆動線に接続される。第２検出素子３０１が接続されている第２信号線３０５が、放射線が照射される領域内に配置されているので、第２信号線３０５は周辺の画素からのクロストークの影響を受ける。
【００５４】
画像の関心領域部に第１検出素子が位置する場合、第１検出素子１２１の近傍に第２検出素子３０１を配置してしまうと、関心領域部における画像情報を得られない場所が第２検出素子３０１の数だけ増加してしまう。関心領域部に画像情報が得られない場所の数が多い場合、診断において重要な画像情報が十分な精度で得られないおそれがある。しかし、関心領域部の外の第１検出素子から離れた撮像領域の周辺部に第２検出素子を配置することで、関心領域部の画像情報を得られない場所の数を減らすことができる。
【００５５】
第１検出素子１２１および第２検出素子３０１の別の配置例を図１３により説明する。図１３に示すように複数個の第１検出素子１２１が画素の配置された領域に配置され、第１検出素子１２１の近傍に複数個の第２検出素子３０１が配置されている。このように第２検出素子３０１を複数個配置し、第２検出素子３０１からのクロストーク成分を含む信号を複数同時に読み出すことで、クロストーク成分取得時のノイズを低減することができ、クロストーク成分の変化率の検出精度が向上する。そのため、第１検出素子においてクロストーク成分の補正精度が向上し、放射線成分の検出精度を向上させることができる。
【００５６】
（第２実施形態）
次にオフセット成分が時間的に変動する場合の補正について説明する。本実施形態においても、第１実施形態と同様に第１検出素子１２１と第２検出素子３０１とが配置されているとする。第１検出素子１２１と第２検出素子３０１とが近傍に配置されている場合、ダーク電流などによるオフセット成分の大きさはほぼ同じ大きさになる。そこでこの性質を利用して、第１検出素子１２１および第２検出素子３０１の出力信号の差分によって信号を補正することにより、検出精度を向上させることができる。図１４では、図１１に加えて、オフセット成分が時間的に変動していることを示している。ここで、オフセット成分は、各検出素子のリーク電流やダーク電流やオフセットレベル等に基づく成分である。このような場合、クロストーク成分のみでなく、オフセット成分の変動であるオフセット変動成分も検出精度を悪化させる原因となる。そこで、各検出素子の異なる期間の出力信号の差分と、第１検出素子１２１と第２検出素子３０１の出力信号の差分を組み合わせて補正を行う。まず、各検出素子の期間ＴＴ１と期間ＴＴ２の出力信号の差分によりクロストーク成分を低減する。次に、第１検出素子１２１と第２検出素子３０１の出力信号の差分により、オフセット変動成分を低減する。具体的には、以下のような演算（式２）を行い補正された検出信号Ｓを得る。
検出信号Ｓ＝｛（Ｓ+Ｃ２+Ｄ２）−（Ｃ１+Ｄ１）｝−｛（Ｃ２’+Ｄ２’）−（Ｃ１’+Ｄ１’）｝
＝Ｓ+｛（Ｃ２−Ｃ１）−（Ｃ２’−Ｃ１’）｝
+｛（Ｄ２−Ｄ１）−（Ｄ２’−Ｄ１’）｝・・・式２
第１検出素子１２１と第２検出素子３０１が近傍に配置される場合、ダーク電流特性などが同等となり、オフセット変動成分の大きさが同程度｛（Ｄ２−Ｄ１）≒（Ｄ２’−Ｄ１’）｝となる。また、各検出素子への放射線の照射量も同等となり、クロストーク成分も同程度｛（Ｃ２−Ｃ１）≒（Ｃ２’−Ｃ１’）｝となる。そのため、本実施形態による補正は第１検出素子１２１と第２検出素子３０１が近傍に配置されるほど、補正精度は向上する。今回は一例として、各検出素子の異なる期間の出力信号の差分、第１検出素子１２１と第２検出素子３０１の出力信号の差分の順に補正する例を示したが、順番が異なっていても、補正後の結果は変わらない。
【００５７】
（第３実施形態）
次に放射線量を検出する際の時間分解能を向上させる駆動について図１５を参照して説明する。図１５には放射線の照射量変化と、駆動方法および第１検出素子、第２検出素子の出力信号が示されている。信号０１〜信号０３は放射線の照射開始からの初期の読み出しを示す。放射線の照射量変化がある時には、第１実施形態と同様に、駆動信号をハイレベルにせずスイッチを導通しない状態でＳＨを行う読み出しと、駆動信号をハイレベルにしてスイッチを導通させた後でＳＨを行う読み出しを交互に行う。その後（信号０４〜信号０７の読み出し）も同様に駆動させるが、第２検出素子からの信号Ｏ４〜Ｏ７でクロストーク成分の変化が所定の閾値以下の微小な値であると判断した場合、クロストーク成分を毎回計算し、補正して取得するのを止める。信号０８以降の信号は、クロストーク成分の変化率が微小であるから、Ａ４〜Ａ７の読み出しで得られたクロストーク成分の情報を用いて、クロストーク成分の低減を行う。クロストーク成分を取得する必要がなくなるため、以降（信号０８以降の読み出し）は駆動信号をハイレベルにしてスイッチを導通させた後でＳＨを行う読み出しのみに切り換え、切り換え前のクロストーク成分により補正を行う。このような駆動方法で、放射線成分のサンプリング間隔を短くすることができ、ＡＥＣにおける曝射停止判定の時間分解能を向上させることができる。
【００５８】
（第４実施形態）
以下、図１６を参照しながら放射線撮像装置２００を放射線検知システムに応用した例を説明する。放射線源であるＸ線チューブ６０５０で発生したＸ線６０６０は、患者あるいは被験者６０６１の胸部６０６２を透過し、前述の放射線撮像装置２００に代表される放射線撮像装置６０４０に入射する。この入射したＸ線には被験者６０６１の体内部の情報が含まれている。Ｘ線の入射に対応してシンチレータは発光し、これを光電変換素子で光電変換して、電気的情報を得る。この情報はデジタルに変換され信号処理部となるイメージプロセッサ６０７０により画像処理され制御室の表示手段となるディスプレイ６０８０で観察できる。
【００５９】
また、この情報は電話回線６０９０等の伝送処理手段により遠隔地へ転送でき、別の場所のドクタールームなど表示手段となるディスプレイ６０８１に表示もしくは光ディスク等の記録手段に保存することができ、遠隔地の医師が診断することも可能である。また記録手段となるフィルムプロセッサ６１００により記録媒体となるフィルム６１１０に記録することもできる。
【００６０】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６１】
本発明は上記実施の形態に制限されるものではなく、本発明の精神及び範囲から離脱することなく、様々な変更及び変形が可能である。従って、本発明の範囲を公にするために、以下の請求項を添付する。
【符号の説明】
【００６２】
１０１：撮像画素、１０２：撮像素子、１０３：接続スイッチ、１０６：列信号線、１２１：第１検出素子、１２２：第１変換素子、１２３：第１スイッチ、１２５：第１信号線、１４２、１４３：検知部、３０１：第２検出素子、３０２：第２変換素子、３０３：第２スイッチ、３０５：第２信号線、ＩＲ：撮像領域
【図１】
2019164125.tif 000003
【図２】
2019164125.tif 000004
【図３】
2019164125.tif 000005
【図４】
2019164125.tif 000006
【図５】
2019164125.tif 000007
【図６】
2019164125.tif 000008
【図７】
2019164125.tif 000009
【図８】
2019164125.tif 000010
【図９】
2019164125.tif 000011
【図１０】
2019164125.tif 000012
【図１１】
2019164125.tif 000013
【図１２】
2019164125.tif 000014
【図１３】
2019164125.tif 000015
【図１４】
2019164125.tif 000016
【図１５】
2019164125.tif 000017
【図１６】
2019164125.tif 000018